(57)【要約】【課題】整流器と、ＤＣ‐ＤＣコンバータと、能動スイッチと、を含むインターフェース回路を提供する。【解決手段】上記の整流器は、入力されたパルス幅変調信号に対して整流を行って、整流されたパルス幅変調信号を生じる。上記のＤＣ‐ＤＣコンバータは、電源供給電圧を受け取って、集積回路の読み込み可能な電圧に転換する。続いて、能動スイッチは、整流されたパルス幅変調信号に基づいて、集積回路の読み込み可能な電圧を発光ダイオード駆動集積回路に提供する。【選択図】図１
2015135799.tif 000002
【特許請求の範囲】
【請求項１】
集積回路の読み込み可能な電圧を発光ダイオード駆動集積回路に提供するためのインターフェース回路であって、
入力されたパルス幅変調信号に対して整流を行って、整流されたパルス幅変調信号を生じるための整流器と、
電源供給電圧を受け取って、前記集積回路の読み込み可能な電圧に転換するためのＤＣ‐ＤＣコンバータと、
前記整流されたパルス幅変調信号に基づいて、前記集積回路の読み込み可能な電圧を前記発光ダイオード駆動集積回路に提供するための能動スイッチと、
を含むインターフェース回路。
【請求項２】
前記整流されたパルス幅変調信号が高レベル信号である場合、前記能動スイッチは、前記集積回路の読み込み可能な電圧を前記発光ダイオード駆動集積回路に出力する請求項１に記載のインターフェース回路。
【請求項３】
前記能動スイッチと接地端との間に結合されるロードをさらに含み、
前記能動スイッチは、前記ロードを通して前記集積回路の読み込み可能な電圧を前記発光ダイオード駆動集積回路に出力する請求項２に記載のインターフェース回路。
【請求項４】
前記整流器と前記能動スイッチとの間に結合されており、前記整流されたパルス幅変調信号に基づいて参照電位を生じるためのダミーロードをさらに含み、
前記能動スイッチは、前記参照電位に基づいて前記集積回路の読み込み可能な電圧を前記発光ダイオード駆動集積回路に提供する請求項３に記載のインターフェース回路。
【請求項５】
前記整流されたパルス幅変調信号が低レベル信号である場合、前記能動スイッチは、オフになって、前記能動スイッチから前記ロードを通して前記集積回路の読み込み可能な電圧を前記発光ダイオード駆動集積回路に出力しない請求項３に記載のインターフェース回路。
【請求項６】
前記整流されたパルス幅変調信号が低レベル信号である場合、前記能動スイッチは、前記集積回路の読み込み可能な電圧を前記発光ダイオード駆動集積回路に提供する請求項１に記載のインターフェース回路。
【請求項７】
前記能動スイッチの一端が接地されるインターフェース回路において、
インターフェース前記ＤＣ‐ＤＣコンバータと前記能動スイッチとの間に結合されるロードをさらに含み、
前記整流されたパルス幅変調信号が低レベル信号である場合、前記能動スイッチは、オフになって、前記ＤＣ‐ＤＣコンバータから前記ロードを通して前記集積回路の読み込み可能な電圧を前記発光ダイオード駆動集積回路に出力する請求項６に記載のインターフェース回路。
【請求項８】
前記整流器と前記能動スイッチとの間に結合されており、前記整流されたパルス幅変調信号に基づいて参照電位を生じるためのダミーロードをさらに含み、
前記能動スイッチは、前記参照電位に基づいて前記集積回路の読み込み可能な電圧を前記発光ダイオード駆動集積回路に提供する請求項７に記載のインターフェース回路。
【請求項９】
前記整流されたパルス幅変調信号が高レベル信号である場合、前記能動スイッチは、オンになって、前記ロードを通して前記集積回路の読み込み可能な電圧を前記発光ダイオード駆動集積回路に提供しない前記ＤＣ‐ＤＣコンバータを接地させる請求項７に記載のインターフェース回路。
【請求項１０】
前記ＤＣ‐ＤＣコンバータは、降圧型ＤＣ‐ＤＣコンバータ及び低ドロップアウト・リニア・レギュレータの中の少なくとも一つを含む請求項１乃至請求項９のいずれか一項に記載のインターフェース回路。
【発明の詳細な説明】
【技術分野】
【０００１】
本発明は、基本的な電子回路に関し、特に、インターフェース回路に関する。
【背景技術】
【０００２】
従来のライトエンジンインターフェースは、住宅用電気の電源を受け取るための電源ピンと、外部制御信号を受信するための制御ピンと、接地端に結合するための接地ピンのような複数のピンを備えている。
【０００３】
しがしながら、ライトエンジンインターフェースの制御ピンについては、正極及び負極が定められていないため、外部制御回路の正負極とライトエンジンインターフェースの制御ピンの正負極との結合を間違えると、外部制御回路からライトエンジンインターフェースへ提供される制御ピンの制御信号の極性を間違えることになり、ライトエンジンインターフェースが極性の間違った制御信号を駆動集積回路（Ｉｎｔｅｇｒａｔｅｄ  Ｃｉｒｃｕｉｔ；ＩＣ）に伝送する場合、駆動ＩＣが制御信号を正しく判読できなくなる。
【０００４】
なお、普通の電源から提供する電圧は、約１５Ｖ（ボルト）であるが、駆動ＩＣは、５Ｖ以内の電圧しか受け取られない。駆動ＩＣは、５Ｖを超えた電圧を受け取ると、損傷する恐れがある。
【０００５】
ここから見て取れるように、上記の既存の方式では、やはり不便と欠点があって、改善する必要がある。上記の問題を解決するために、関連分野では、工夫を尽くして解決の促進を図っているが、適当な解決方法は、未だ開発されていない。
【発明の概要】
【発明が解決しようとする課題】
【０００６】
発明の概要は、本開示内容をだいたい理解させるために、本開示内容の簡単な概要を提供することを目的とする。この発明の概要は、本開示内容の完全な概要ではなく、また、本発明の実施態様における重要素子又は鍵となる素子を指摘したり、本発明の範囲を定めたりすることを意図するものではない。
【０００７】
本発明は、入力されたパルス幅変調（Ｐｕｌｓｅ  Ｗｉｄｔｈ  Ｍｏｄｕｌａｔｉｏｎ；ＰＷＭ）信号を処理して、発光ダイオード（Ｌｉｇｈｔ  Ｅｍｉｔｔｉｎｇ  Ｄｉｏｄｅ；ＬＥＤ）駆動集積回路（Ｉｎｔｅｇｒａｔｅｄ  Ｃｉｒｃｕｉｔ；ＩＣ）に適用する電圧を出力できるインターフェース回路を提供することを目的とする。
【課題を解決するための手段】
【０００８】
上記の目的を達成するために、本発明の概要の技術態様は、ＩＣ読み込み可能な電圧をＬＥＤ駆動ＩＣに提供するためのインターフェース回路に関する。上記のインターフェース回路は、整流器と、ＤＣ‐ＤＣコンバータと、能動スイッチと、を含む。上記の整流器は、入力されたＰＷＭ信号に対して整流を行って、整流されたＰＷＭ信号を生じる。上記のＤＣ‐ＤＣコンバータは、電源供給電圧を受け取って、ＩＣ読み込み可能な電圧に転換する。続いて、能動スイッチは、整流されたＰＷＭ信号に基づいて、ＩＣ読み込み可能な電圧をＬＥＤ駆動ＩＣに提供する。
【発明の効果】
【０００９】
このため、本発明の技術内容によると、本発明の実施態様により提供されるインターフェース回路は、整流器によって、外部制御回路が出力したＰＷＭ信号に対して整流を行うことができ、このように、インターフェース回路から、整流されたＰＷＭ信号に基づいて出力した電圧が、ＬＥＤ駆動ＩＣにより正しく判読されることができる。また、インターフェース回路は、ＤＣ‐ＤＣコンバータによって、電源供給電圧をＩＣ読み込み可能な電圧に転換することができる。このように、ＩＣ読み込み可能な電圧の電圧値が、既にＬＥＤ駆動ＩＣの許容範囲内に転換されており、ＬＥＤ駆動ＩＣの損傷する恐れがなくなる。
【００１０】
下記の実施形態を参照すると、当業者であれば、本発明の基本的な精神、他の発明の目的、及び本発明の採用する技術手段と実施態様を容易に理解することができる。
【図面の簡単な説明】
【００１１】
下記図面の説明は、本発明の上記又は他の目的、特徴、メリット、実施態様をより分かりやすくするためのものである。
従来の作業方式によれば、図面における各種の特徴と素子は、比例に従って描いたものではないが、その描き方は、最適な方式で本発明と関連する具体的な特徴と素子を表すためのものである。また、異なる図面同士の間で、同じ又は類似の符号によって、類似の素子や部品を指称する。
【図１】本発明の一実施例によるインターフェース回路を示す回路ブロック図である。
【図２】本発明の別の実施例による図１に示したインターフェース回路を示す回路模式図である。
【図３Ａ】本発明のさらに一つの実施例による図２に示したインターフェース回路が示す回路アナログ波形模式図である。
【図３Ｂ】本発明のさらに他の実施例による図２に示したインターフェース回路が示す回路アナログ波形模式図である。
【図４】本発明の別の実施例によるインターフェース回路を示す回路ブロック図である。
【図５】本発明のさらに一つの実施例による図４に示したインターフェース回路を示す回路模式図である。
【図６Ａ】本発明のさらに他の実施例による図５に示したインターフェース回路が示す回路アナログ波形模式図である。
【図６Ｂ】本発明の別の実施例による図５に示したインターフェース回路が示す回路アナログ波形模式図である。
【発明を実施するための形態】
【００１２】
本開示内容の記述をより詳細化し充実させるためには、下記で本発明の実施態様と具体的な実施例について、説明的な記述を提出するが、これは本発明を実施し、又は運用する唯一の形式ではない。実施形態には、複数の具体的な実施例の特徴及びこれらを構築し、又は操作するための方法工程とその手順が含まれている。しがしながら、他の具体的な実施例を利用して同じ又は均等な機能と工程手順を達成することもできる。
【００１３】
本明細書で別に定義されなければ、ここに用いられる科学と技術用語の意味は、当業者に理解され又は慣用する意味と同じである。また、前後と矛盾していなければ、本明細書で用いる単数名詞には、その名詞の複数形が含まれる。用いられる複数名詞の場合も、この名詞の単数形が含まれる。
【００１４】
図１は、本発明の一実施例によるインターフェース回路１００を示す回路ブロック図である。このインターフェース回路１００は、外部制御回路５００と発光ダイオード（Ｌｉｇｈｔ  Ｅｍｉｔｔｉｎｇ  Ｄｉｏｄｅ；ＬＥＤ）駆動集積回路（Ｉｎｔｅｇｒａｔｅｄ  Ｃｉｒｃｕｉｔ；ＩＣ）７００との間に配置されてよい。大まかに言って、インターフェース回路１００は、電源６００から提供する電源供給電圧ＶｃｃをＬＥＤ駆動ＩＣ７００の読み込み可能な制御電圧に転換することができる。続いて、インターフェース回路１００は、外部制御回路５００の出力したパルス幅変調（Ｐｕｌｓｅ  Ｗｉｄｔｈ  Ｍｏｄｕｌａｔｉｏｎ；ＰＷＭ）信号に基づいて、上記の制御電圧をＬＥＤ駆動ＩＣ７００に提供する。このように、ＬＥＤ駆動ＩＣ７００は、上記の制御電圧を読み込んで、ＬＥＤを正しく駆動することができる。上記の簡単な説明は、本発明の実施例のインターフェース回路１００の用途をより理解しやすくするためのものだけであり、インターフェース回路１００の詳しい電気的な操作方式については、下記を参照されたい。
【００１５】
図１を参照されたい。インターフェース回路１００は、整流器１１０、ダミーロード（ｄｕｍｍｙ  ｌｏａｄ）１２０、ロード１３０、能動スイッチ１４０及びＤＣ‐ＤＣコンバータ１５０を含む。図に示すように、整流器１１０は、外部制御回路５００に電気的に結合されることに用いられてよく、ダミーロード１２０は、整流器１１０、ロード１３０及び能動スイッチ１４０に電気的に結合される。また、ロード１３０は、能動スイッチ１４０と接地端ＧＮＤに電気的に結合されており、且つＬＥＤ駆動ＩＣ７００に電気的に結合されることに用いられてよい。また、ＤＣ‐ＤＣコンバータ１５０は、能動スイッチ１４０に電気的に結合されており、且つ電源６００に電気的に結合されることに用いられてよい。しがしながら、図１に示したインターフェース回路１００の配置方式は、本発明の実現態様の一つを例示的に説明するためのものだけであり、本発明の精神から逸脱しない限り、インターフェース回路１００の配置方式に対する変更は、依然として本発明による特許請求の範囲内に含まれる。
【００１６】
電気的な操作の点で、上記の整流器１１０は、外部制御回路５００から出力されたＰＷＭ信号に対して整流を行って、整流されたＰＷＭ信号Ｓｒｅｃを生じることができる。例を挙げると、外部制御回路５００がＰＷＭ信号をインターフェース回路１００に逆相位で出力する場合、インターフェース回路１００の整流器１１０は、ＰＷＭ信号を正相位のＰＷＭ信号（即ち、上記の整流されたＰＷＭ信号Ｓｒｅｃ）に処理することができる。逆に、外部制御回路５００がＰＷＭ信号をインターフェース回路１００に正相位で出力する場合、整流器１１０がそれを処理した後、正相位のＰＷＭ信号を提供することもできる。これにより、ＬＥＤ駆動ＩＣ７００が正しく読み込まれることを確保できるように、如何にインターフェース回路１００と結合しても、インターフェース回路１００の整流器１１０が正相位のＰＷＭ信号を提供することができるため、外部制御回路５００は、インターフェース回路１００と自由に結合してよい。
【００１７】
整流されたＰＷＭ信号Ｓｒｅｃが生じた後、ダミーロード１２０は、対応して参照電位Ｖｒｅｆを発生する。一方、ＤＣ‐ＤＣコンバータ１５０は、電源６００から提供する電源供給電圧Ｖｃｃを受け取って、且つ電源供給電圧ＶｃｃをＩＣ読み込み可能な電圧ＶＩＣに転換して、ＩＣ読み込み可能な電圧ＶＩＣを能動スイッチ１４０に提供する。ＩＣ読み込み可能な電圧ＶＩＣとは、電圧値がＬＥＤ駆動ＩＣ７００の許容範囲内に含まれる電圧である。一般的に、ＬＥＤ駆動ＩＣ７００は、５Ｖ（ボルト）以内の電圧を受け取ることができるが、本発明は上記の数値に限定されない。
【００１８】
一実施例において、ＤＣ‐ＤＣコンバータ１５０は、降圧型ＤＣ‐ＤＣコンバータ（Ｂｕｃｋ  ＤＣ‐ＤＣ  Ｃｏｎｖｅｒｔｅｒ）であってよい。このように、本発明の実施例のインターフェース回路１００は、ＤＣ‐ＤＣコンバータ１５０を採用して、電源６００から提供する電源供給電圧Ｖｃｃに対してＤＣ‐ＤＣ降圧の変換を行って、ＩＣ読み込み可能な電圧ＶＩＣの電圧値をＬＥＤ駆動ＩＣ７００の許容範囲内にすることができる。別の実施例において、ＤＣ‐ＤＣコンバータ１５０は、低ドロップアウト・リニア・レギュレータ（Ｌｏｗ  Ｄｒｏｐｏｕｔ  Ｌｉｎｅａｒ  Ｒｅｇｕｌａｔｏｒ；ＬＤＯ）であってよい。しがしながら、上記のＤＣ‐ＤＣコンバータ１５０の種類は、本発明の実現態様の一つを例示的に説明するためのものだけであり、本発明の精神から逸脱しない限り、異なる回路を採用してＤＣ‐ＤＣコンバータ１５０を実際に操作する場合、依然として本発明による特許請求の範囲内に含まれる。
【００１９】
上記の操作によると、能動スイッチ１４０は、ＤＣ‐ＤＣコンバータ１５０が提供するＩＣ読み込み可能な電圧ＶＩＣを取得する。続いて、能動スイッチ１４０は、参照電位Ｖｒｅｆによって開閉して、ロード１３０を通してＩＣ読み込み可能な電圧ＶＩＣをＬＥＤ駆動ＩＣ７００に提供することができる。
【００２０】
以上をまとめると、外部制御回路５００及びＬＥＤ駆動ＩＣ７００の中間インターフェースとして、本発明の実施例に係るインターフェース回路１００を採用すれば、如何にインターフェース回路１００と結合しても、インターフェース回路１００の整流器１１０が正相位のＰＷＭ信号を提供でき、これにより、能動スイッチ１４０が正相位のＰＷＭ信号によってＩＣ読み込み可能な電圧ＶＩＣを出力して、ＬＥＤ駆動ＩＣ７００に正しく読み込まれることを確保できるため、外部制御回路５００は、インターフェース回路１００と自由に結合してよい。なお、外部制御回路５００は、極性を考慮せずに、インターフェース回路１００と自由に結合してよく、このように、組み立て速度や組み立て効率を向上させることができる。また、ＩＣ読み込み可能な電圧ＶＩＣの電圧値は、既にＬＥＤ駆動ＩＣ７００の許容範囲内に転換されており、ＬＥＤ駆動ＩＣ７００の損傷する恐れがなくなる。
【００２１】
一実施例において、本発明の実施例に係るインターフェース回路１００は、高レベル信号を採用してＬＥＤ駆動ＩＣ７００を制御してよい。詳しく言えば、図１のインターフェース回路１００の構成では、整流されたＰＷＭ信号Ｓｒｅｃが高レベル信号である場合、ダミーロード１２０は、対応して高レベルの参照電位Ｖｒｅｆを生じ、能動スイッチ１４０は、高レベルの参照電位Ｖｒｅｆに基づいてオンになって、能動スイッチ１４０からロード１３０を通してＩＣ読み込み可能な電圧ＶＩＣをＬＥＤ駆動ＩＣ７００に出力する。
【００２２】
別の実施例において、整流されたＰＷＭ信号Ｓｒｅｃが低レベル信号である場合、ダミーロード１２０は、対応して低レベルの参照電位Ｖｒｅｆを生じ、能動スイッチ１４０は、低レベルの参照電位Ｖｒｅｆに基づいてオフとなって、この場合、能動スイッチ１４０からロード１３０を通してＩＣ読み込み可能な電圧ＶＩＣをＬＥＤ駆動ＩＣ７００に出力しない。
【００２３】
図２は、本発明の別の実施例による図１に示したインターフェース回路１００を示す回路模式図である。図に示すように、ダミーロード１２０は、抵抗によって実現でき、ロード１３０も抵抗によって実現できるが、能動スイッチ１４０は、トランジスタによって実現できる。一実施例において、上記の能動スイッチ１４０は、バイポーラジャンクショントランジスタ（Ｂｉｐｏｌａｒ  Ｊｕｎｃｔｉｏｎ  Ｔｒａｎｓｉｓｔｏｒ；ＢＪＴ）、金属酸化膜半導体電界効果トランジスタ（Ｍｅｔａｌ‐Ｏｘｉｄｅ‐Ｓｅｍｉｃｏｎｄｕｃｔｏｒ  Ｆｉｅｌｄ‐Ｅｆｆｅｃｔ  Ｔｒａｎｓｉｓｔｏｒ；ＭＯＳＦＥＴ）、や絶縁ゲートバイポーラトランジスタ（Ｉｎｓｕｌａｔｅｄ  Ｇａｔｅ  Ｂｉｐｏｌａｒ  Ｔｒａｎｓｉｓｔｏｒ；ＩＧＢＴ）等であってよいが、これらに限定されない。整流器１１０は、ブリッジ整流器、やセンタータップ整流器等であってよいが、これらに限定されない。
【００２４】
なお、ＤＣ‐ＤＣコンバータ１５０は、電源供給電圧Ｖｃｃに対して転換を行って、ＩＣ読み込み可能な電圧ＶＩＣを出力することができる。このため、インターフェース回路１００にとって、ＤＣ‐ＤＣコンバータ１５０は、ＩＣ読み込み可能な電圧ＶＩＣを提供するので、ここで電源に相当する。注意すべきなのは、図２のインターフェース回路１００の回路模式図は、本発明の実現態様の一つを例示的に説明するためのものだけであり、本発明を限定するものではない。
【００２５】
図３Ａは、本発明のさらに一つの実施例による図２に示したインターフェース回路１００が示す回路アナログ波形模式図である。図３Ａに示すように、上半図は、インターフェース回路１００の入力電圧Ｖｉｎの回路アナログ波形であり、下半図は、インターフェース回路１００の出力電圧Ｖｏｕｔの回路アナログ波形である。図２を参照されたい。上記の入力電圧Ｖｉｎは、図２に示したインターフェース回路１００の入力部分を測って得られる。出力電圧Ｖｏｕｔは、図２に示したインターフェース回路１００の出力部分を測って得られる。
【００２６】
また、図３Ａを参照されたい。入力電圧Ｖｉｎからみて、外部制御回路５００がＰＷＭ信号をインターフェース回路１００に逆相位で出力して、このＰＷＭ信号の電圧が１５Ｖであり、そのデューティサイクル（Ｄｕｔｙ  ｃｙｃｌｅ）が１０％（パーセンテージ）であることが分かる。続いて、図２のインターフェース回路１００によりこのＰＷＭ信号が処理された後、インターフェース回路１００の出力電圧Ｖｏｕｔの電圧が１．５Ｖであり、そのデューティサイクルが１０％である。これから、外部制御回路５００がＰＷＭ信号をインターフェース回路１００に逆相位で出力しても、インターフェース回路１００により逆相位のＰＷＭ信号が処理された後、インターフェース回路１００の出力した出力電圧Ｖｏｕｔが依然としてＬＥＤ駆動ＩＣ７００により正しく判読されることができ、且つ出力電圧Ｖｏｕｔの電圧がＬＥＤ駆動ＩＣ７００の許容範囲内に含まれることが分かる。
【００２７】
図３Ｂは、本発明のさらに他の実施例による図２に示したインターフェース回路１００が示す回路アナログ波形模式図である。図３Ａに比べて、入力電圧Ｖｉｎ部分を参照されたい。ここで、外部制御回路５００は、ＰＷＭ信号をインターフェース回路１００に正相位で出力して、このＰＷＭ信号の電圧が１５Ｖであり、そのデューティサイクルが１０％である。同様に、図２のインターフェース回路１００によりこのＰＷＭ信号が処理された後、インターフェース回路１００の出力電圧Ｖｏｕｔの電圧が１．５Ｖであり、そのデューティサイクルが１０％である。これによって、外部制御回路５００がＰＷＭ信号をインターフェース回路１００に正相位で出力して、インターフェース回路１００によりこの正相位のＰＷＭ信号が処理された後、インターフェース回路１００の出力した出力電圧ＶｏｕｔがＬＥＤ駆動ＩＣ７００により正しく判読されることができ、且つ出力電圧Ｖｏｕｔの電圧もＬＥＤ駆動ＩＣ７００の許容範囲内に含まれることが分かる。
【００２８】
図４は、本発明の別の実施例によるインターフェース回路４００を示す回路ブロック図である。ここで説明すべきなのは、図４のインターフェース回路４００において、電子素子の素子名称がインターフェース回路１００の電子素子と同じであるものは、同一の電気的な操作方式を有することを表す。そのため、その電気的な操作方式については、ここで繰り返して説明しないことにするが、異なるところのみについて説明する。
【００２９】
図１に示したインターフェース回路１００に比べて、ロード４３０がインターフェース回路４００に配置される位置は、異なっている。インターフェース回路４００において、ロード４３０は、能動スイッチ４４０とＤＣ‐ＤＣコンバータ４５０との間に配置される。電気的な操作において、ＤＣ‐ＤＣコンバータ４５０は、ロード４３０を通してＩＣ読み込み可能な電圧ＶＩＣをＬＥＤ駆動ＩＣ７００に提供することができる。注意すべきなのは、能動スイッチ４４０は、電気的にロード４３０及び接地端ＧＮＤの間に結合されており、能動スイッチ４４０がオフになる場合、ＤＣ‐ＤＣコンバータ４５０は、ＩＣ読み込み可能な電圧ＶＩＣをＬＥＤ駆動ＩＣ７００に正常に提供できるが、能動スイッチ４４０の開閉は、参照電位Ｖｒｅｆによって決められる。一実施例において、整流されたＰＷＭ信号Ｓｒｅｃが低レベル信号である場合、ダミーロード４２０は、対応して低レベルの参照電位Ｖｒｅｆを生じ、この時に、能動スイッチ１４０は、低レベルの参照電位Ｖｒｅｆによってオフになる。
【００３０】
一方、一旦能動スイッチ４４０がオンになると、ＤＣ‐ＤＣコンバータ４５０は、ロード４３０及び能動スイッチ４４０を通して接地し、この時、ＩＣ読み込み可能な電圧ＶＩＣが低下するため、ＤＣ‐ＤＣコンバータ４５０は、ロード４３０を通してＩＣ読み込み可能な電圧ＶＩＣをＬＥＤ駆動ＩＣ７００に提供することができない。これによって、能動スイッチ４４０により、ＩＣ読み込み可能な電圧ＶＩＣをＬＥＤ駆動ＩＣ７００に提供するかどうかを決めることができることが分かる。以上をまとめると、インターフェース回路４００の構成で、外部制御回路５００の出力したＰＷＭ信号が低レベル信号を提供してこそ、インターフェース回路４００がＩＣ読み込み可能な電圧ＶＩＣをＬＥＤ駆動ＩＣ７００に提供するため、低レベル信号を使用してＬＥＤ駆動ＩＣ７００を制御する要求がある場合、図４に示したインターフェース回路４００を採用して上記の要求を実現することができる。
【００３１】
図５は、本発明のさらに一つの実施例による図４に示したインターフェース回路４００を示す回路模式図である。図に示すように、ダミーロード４２０は、抵抗によって実現でき、ロード４３０も抵抗によって実現できるが、能動スイッチ４４０は、トランジスタによって実現できる。また、能動スイッチ４４０の採用できるトランジスタの種類は、図２の能動スイッチ１４０と類似し、整流器４１０の採用できるトランジスタの種類は、図２の整流器１１０と類似し、ここで繰り返して説明しないことにする。なお、ＤＣ‐ＤＣコンバータ４５０は、電源供給電圧Ｖｃｃに対して転換を行って、ＩＣ読み込み可能な電圧ＶＩＣを出力することができる。このため、インターフェース回路４００にとって、ＤＣ‐ＤＣコンバータ４５０は、ＩＣ読み込み可能な電圧ＶＩＣを提供するので、ここで電源に相当する。説明すべきなのは、図５のインターフェース回路４００の回路模式図は、同様に、本発明の実現態様の一つを例示的に説明することのみに用いられ、本発明を限定するものではない。
【００３２】
図６Ａは、本発明のさらに他の実施例による図５に示したインターフェース回路４００が示す回路アナログ波形模式図である。図６Ａに示すように、上半図は、インターフェース回路４００の入力電圧Ｖｉｎの回路アナログ波形であり、下半図は、インターフェース回路４００の出力電圧Ｖｏｕｔの回路アナログ波形である。図５を参照されたい。上記の入力電圧Ｖｉｎは、図５に示したインターフェース回路４００の入力部分を測って得られる。出力電圧Ｖｏｕｔは、図５に示したインターフェース回路４００の出力部分を測って得られる。
【００３３】
また、図６Ａを参照されたい。入力電圧Ｖｉｎからみて、外部制御回路５００がＰＷＭ信号をインターフェース回路４００に逆相位で出力して、このＰＷＭ信号の電圧が１５Ｖであり、そのデューティサイクルが１０％であることが分かる。続いて、図５のインターフェース回路４００によりこのＰＷＭ信号が処理された後、インターフェース回路４００の出力電圧Ｖｏｕｔの電圧が１．５Ｖであり、そのデューティサイクルが９０％である。これによって、外部制御回路５００がＰＷＭ信号をインターフェース回路４００に逆相位で出力しても、インターフェース回路４００によりこのＰＷＭ信号が処理された後、インターフェース回路４００の出力した出力電圧Ｖｏｕｔが依然としてＬＥＤ駆動ＩＣ７００により正しく判読されることができ、且つ出力電圧Ｖｏｕｔの電圧がＬＥＤ駆動ＩＣ７００の許容範囲内に含まれることが分かる。
【００３４】
図６Ｂは、本発明の別の実施例による図５に示したインターフェース回路４００が示す回路アナログ波形模式図である。図６Ａに比べて、入力電圧Ｖｉｎ部分を参照されたい。この外部制御回路５００は、ＰＷＭ信号をインターフェース回路４００に正相位で出力して、このＰＷＭ信号の電圧が１５Ｖであり、そのデューティサイクルが１０％である。同様に、図５のインターフェース回路４００によりこのＰＷＭ信号が処理された後、インターフェース回路４００の出力電圧Ｖｏｕｔの電圧が１．５Ｖであり、そのデューティサイクルが９０％である。これによって、外部制御回路５００がＰＷＭ信号をインターフェース回路４００に正相位で出力して、インターフェース回路４００によりこのＰＷＭ信号が処理された後、インターフェース回路４００の出力した出力電圧ＶｏｕｔがＬＥＤ駆動ＩＣ７００により正しく判読されることができ、且つ出力電圧Ｖｏｕｔの電圧がＬＥＤ駆動ＩＣ７００の許容範囲内に含まれることが分かる。
【００３５】
また、図６Ａ及び図６Ｂから、外部制御回路５００の出力したＰＷＭ信号が低レベル信号であってこそ、インターフェース回路４００は、対応して出力電圧ＶｏｕｔをＬＥＤ駆動ＩＣ７００に提供するため、低レベル信号を使用してＬＥＤ駆動ＩＣ７００を制御する要求がある場合、図５に示したインターフェース回路４００を採用して上記の要求を実現することができる。
【００３６】
上記の本発明の実施形態から、本発明を応用すれば、以下のメリットを有する。本発明の実施例に提供されるインターフェース回路１００、４００は、外部制御回路５００の出力したＰＷＭ信号に対して処理することができる。このように、外部制御回路５００のインターフェース回路１００、４００に出力するＰＷＭ信号の極性に関わらず、インターフェース回路１００、４００に処理され出力されたＩＣ読み込み可能な電圧ＶＩＣがＬＥＤ駆動ＩＣ７００により正しく判読されることができ、且つＩＣ読み込み可能な電圧ＶＩＣの電圧値が既にＬＥＤ駆動ＩＣ７００の許容範囲内に転換されており、ＬＥＤ駆動ＩＣ７００の損傷する恐れがなくなる。
【００３７】
上記の実施形態では、本発明の具体的な実施例が開示されたが、これは本発明を限定するものではなく、当業者であれば、本発明の原理と精神から逸脱しない限り、様々な変動や修正を加えることができ、従って、本発明の保護範囲は、添付された特許請求の範囲で指定した内容を基準とする。
【符号の説明】
【００３８】
１００、４００  インターフェース回路
１１０、４１０  整流器
１２０、４２０  ダミーロード
１３０、４３０  ロード
１４０、４４０  能動スイッチ
１５０、４５０  ＤＣ‐ＤＣコンバータ
５００  外部制御回路
６００  電源
７００  発光ダイオード駆動集積回路
Ｓｒｅｃ  整流されたパルス幅変調信号
Ｖｒｅｆ  参照電位
ＶＩＣ  集積回路の読み込み可能な電圧
Ｖｃｃ  電源供給電圧
Ｖｉｎ  入力電圧
Ｖｏｕｔ  出力電圧
ＧＮＤ  接地端
【図１】
2015135799.tif 000003
【図２】
2015135799.tif 000004
【図３Ａ】
2015135799.tif 000005
【図３Ｂ】
2015135799.tif 000006
【図４】
2015135799.tif 000007
【図５】
2015135799.tif 000008
【図６Ａ】
2015135799.tif 000009
【図６Ｂ】
2015135799.tif 000010
【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
集積回路の読み込み可能な電圧を発光ダイオード駆動集積回路に提供するためのインターフェース回路であって、
入力されたパルス幅変調信号に対して整流を行って、整流されたパルス幅変調信号を生じるための整流器と、
電源供給電圧を受け取って、前記集積回路の読み込み可能な電圧に転換するためのＤＣ‐ＤＣコンバータと、
前記整流されたパルス幅変調信号に基づいて、前記集積回路の読み込み可能な電圧を前記発光ダイオード駆動集積回路に提供するための能動スイッチと、
前記能動スイッチと接地端との間に結合されるロードと、を含み、
前記整流されたパルス幅変調信号が高レベル信号である場合、前記能動スイッチは、前記集積回路の読み込み可能な電圧を前記発光ダイオード駆動集積回路に出力し、
前記能動スイッチは、前記ロードを通して前記集積回路の読み込み可能な電圧を前記発光ダイオード駆動集積回路に出力するインターフェース回路。
【請求項２】
前記整流器と前記能動スイッチとの間に結合されており、前記整流されたパルス幅変調信号に基づいて参照電位を生じるためのダミーロードをさらに含み、
前記能動スイッチは、前記参照電位に基づいて前記集積回路の読み込み可能な電圧を前記発光ダイオード駆動集積回路に提供する請求項１に記載のインターフェース回路。
【請求項３】
前記整流されたパルス幅変調信号が低レベル信号である場合、前記能動スイッチは、オフになって、前記能動スイッチから前記ロードを通して前記集積回路の読み込み可能な電圧を前記発光ダイオード駆動集積回路に出力しない請求項１に記載のインターフェース回路。
【請求項４】
集積回路の読み込み可能な電圧を発光ダイオード駆動集積回路に提供するためのインターフェース回路であって、
入力されたパルス幅変調信号に対して整流を行って、整流されたパルス幅変調信号を生じるための整流器と、
電源供給電圧を受け取って、前記集積回路の読み込み可能な電圧に転換するためのＤＣ‐ＤＣコンバータと、
前記整流されたパルス幅変調信号に基づいて、前記集積回路の読み込み可能な電圧を前記発光ダイオード駆動集積回路に提供するための能動スイッチと、
前記ＤＣ‐ＤＣコンバータと前記能動スイッチとの間に結合されるロードと、を含み、
前記能動スイッチの一端が接地され、
前記整流されたパルス幅変調信号が低レベル信号である場合、前記能動スイッチは、オフになって、前記ＤＣ‐ＤＣコンバータから前記ロードを通して前記集積回路の読み込み可能な電圧を前記発光ダイオード駆動集積回路に出力するインターフェース回路。
【請求項５】
前記整流器と前記能動スイッチとの間に結合されており、前記整流されたパルス幅変調信号に基づいて参照電位を生じるためのダミーロードをさらに含み、
前記能動スイッチは、前記参照電位に基づいて前記集積回路の読み込み可能な電圧を前記発光ダイオード駆動集積回路に提供する請求項４に記載のインターフェース回路。
【請求項６】
前記整流されたパルス幅変調信号が高レベル信号である場合、前記能動スイッチは、オンになって、前記ロードを通して前記集積回路の読み込み可能な電圧を前記発光ダイオード駆動集積回路に提供しない前記ＤＣ‐ＤＣコンバータを接地させる請求項４に記載のインターフェース回路。
【請求項７】
前記ＤＣ‐ＤＣコンバータは、降圧型ＤＣ‐ＤＣコンバータ及び低ドロップアウト・リニア・レギュレータの中の少なくとも一つを含む請求項１乃至請求項６のいずれか一項に記載のインターフェース回路。